(57)【特許請求の範囲】
【請求項１】
前フレーム(1) と後フレーム(2) の上下両側を４本の奥行きフレーム(3) により連結する電気電子機器用筐体のフレーム構造において、前記奥行きフレーム(3) の内側に幅広板部(31)を連設して該幅広板部(31)を介して鉛直な取付面(32)を形成し、また、該内側の鉛直な取付面(32)に対向して該取付面(32)より背高な外側の取付面(33)を形成したことを特徴とする電気電子機器用筐体のフレーム構造。
【請求項２】
内側に幅広板部(31)を連設した奥行きフレーム(3) の該幅広板部(31)にケーブル等の入線孔(4) を設けた請求項１に記載の電気電子機器用筐体のフレーム構造。
【請求項３】
補助縦フレーム(5)を該補助縦フレーム(5) の下端面を取付面(32)と連設して形成してある水平板部に当接させて取り付けた請求項１又は２に記載の電気電子機器用筐体のフレーム構造。
【請求項４】
上下に対向する取付面(32)に取付台(6) を用いて補助縦フレーム(5) を取り付けた請求項１又は２に記載の電気電子機器用筐体のフレーム構造。
【発明の詳細な説明】
【０００１】
【発明の属する技術分野】
本発明は、電気電子機器用筐体のフレーム構造に関するものである。
【０００２】
【従来の技術】
従来の電気電子機器用筐体のフレーム構造は、図５に示すように筐体の側面側に配線用空間を形成するように機器取付用のマウントレール１０１やマウントアングル１０１を筐体の側面より内側に取り付ける場合には奥行きフレーム１０２とは別途に前後の縦フレーム１０３、１０３間に取付用奥行きフレーム１０４を取り付けたうえスペース金具１０５を介在して取り付けるものであった。そのため、部品点数が多くなり組立作業も厄介であった。また、底部も一枚又は分割した底板１０６で塞ぐ構成としたに過ぎないものであるため、底板１０６に機器を載置させる必要がある場合に機器のサイズによってはケーブル等の入線を底部から行うことができないという問題がある。
【０００３】
【発明が解決しようとする課題】
本発明は前記のような従来の問題点を解決して、スペース金具等の部品を使用することなくマウントレールやマウントアングルを筐体の側面より内側に取り付けできるばかりでなく、底部を底板で塞いでも底板に何ら加工することなく底部からケーブル等の入線を行うことができる電気電子機器用筐体のフレーム構造を提供するためになされたものである。
【０００４】
【課題を解決するための手段】
前記の課題を解決するためになされた本発明の電気電子機器用筐体のフレーム構造は、前フレームと後フレームの上下両側を４本の奥行きフレームにより連結する電気電子機器用筐体のフレーム構造において、前記奥行きフレームの内側に幅広板部を連設して該幅広板部を介して鉛直な取付面を形成し、また、該内側の鉛直な取付面に対向して該取付面より背高な外側の取付面を形成したものを請求項１に記載の発明とし、この発明において、内側に幅広板部を連設した奥行きフレームの該幅広板部にケーブル等の入線孔を設けたものを請求項２に記載の発明とする。そして、前記請求項１、２に記載の発明において、補助縦フレームを該補助縦フレームの下端面を取付面と連設して形成してある水平板部に当接させて取り付けたものを請求項３に記載の発明とし、さらに、前記請求項１、２に記載の発明において、上下に対向する取付面に取付台を用いて補助縦フレームを取り付けたものを請求項４に記載の発明とする。
【０００５】
【発明の実施の形態】
次に、本発明の好ましい実施の形態を図１から図４に基づき説明する。
図１において、１は四角枠状の前フレーム、２は前記前フレーム１と同形の四角枠状の後フレ−ムである。そして、この前フレーム１と後フレ−ム２とは上下両側を４本の奥行きフレーム３により連結されて筐体のフレーム構造を構成している。各奥行きフレーム３は筐体の内側に向けて水平な幅広板部３１を連設して該幅広板部３１を介して取付面３２を形成している。即ち、該奥行きフレーム３は図２〜図４に示すように幅広板部３１の内側端に９０°折曲形成した内側短脚板部３１ａの先端に外向きの内側段板部３１ｂを９０°折曲して該内側段板部３１ｂの先端に鉛直な内側の取付面３２を形成したものである。また、奥行きフレーム３にはケーブル等の入線孔４が水平な幅広板部３１をもって設けてある。３２ａは取付面３２に配設したネジ挿入孔である。
【０００６】
また、奥行きフレーム３は外側端に前記内側短脚板部３１ａと同方向に９０°折曲して外側短脚板部３１ｃを連設して該外側短脚板部３１ｃに内向きの外側段板部３１ｄを９０°折曲して該外側段板部３１ｄの先端に前記内側の取付面３２に対向した該取付面３２より背高な外側の副取付面３３を形成しており、内側が低く外側が高い取付面を有していることになる。なお、奥行きフレーム３は同一のものを上下同士及び両側同士をそれぞれ対称となるように取り付けるものである。
【０００７】
５は上下に対向する奥行きフレーム３、３の取付面３２、３２間に取り付けたマウントレールやマウントアングル等の補助縦フレームである。この補助縦フレーム５の両側端に折曲形成した補強片部５１、５１の先端には取付孔５２ａ付きの折曲片部５２を連設してレールの外側に線止めバー等１０を取付できるものとしている。こうして補助縦フレーム５を取り付けることにより、実質８本の縦フレームを持つこととなり、特に補助縦フレーム５が筐体内側に入っているので非常に耐震性が優れている。なお、図示のものは補助縦フレーム５の下端面が取付面３２の基端に連設されている水平板部すなわち奥行きフレーム３に連設した水平な幅広板部３１の上面に当接していないが、水平板部に当接するものとすることにより、取付面３２の取付部に加わる補助縦フレーム５の荷重を分散することもでき、さらに強度を増すという利点がある。図３及び図４に示す６は垂直脚板部６１の上端に補助縦フレーム取付用の取付面部６２を延設した取付台であり、該取付台６は図３に示すように垂直脚板部６１をもって取付面３２に取り付けたうえ取付面部６２に補助縦フレーム５を取り付けることにより補助縦フレーム５が上下の取付面３２、３２間に達することのない短いものであっても的確に取り付けできるものである。なお、垂直脚板部６１と取付面部６２にはそれぞれネジ孔６１ａ、ネジ孔６２ａが設けてあり、奥行きフレーム３の孔列はネジ挿入孔３２ａとしてタップ加工を不要なものとしている。
【０００８】
さらに、前記取付台６は垂直脚板部６１の下端外側に水平脚板部６３を折曲形成するとともに垂直脚板部６１の上端外側に水平上板部６４を連設したうえ該水平上板部６４の先端に下向きに前記垂直脚板部６１より幅広な取付片部６５を設けてある。そして、図４に示すように該取付片部６５を奥行きフレーム３の外側の副取付面３３の外面に添装したうえ副取付面３３に設けたネジ挿通孔３３ａから止めネジ３３ｂを挿通したうえ取付片部６５のネジ孔６５ａに螺合して取り付けて、前記取付面部６２に補助縦フレーム５を取り付ける。このような補助縦フレーム５は、筐体内側に入れるためメインの縦フレームよりも長さが短いのが普通である。そのため従来では補助縦フレーム５は空中で保持しながらスペース金具に取り付けなければならなかったが、このような取付台６を用いれば非常に取付作業が容易になる。また、内側が低く外側が高い２つの取付面３２、３３を設けているので、筐体を壁面のコーナ部に設置したものに内部機器を追加するときでも筐体内部より取付作業を行うことができ筐体を移動させる作業が不要になりさらに、補助縦フレーム５を筐体の側面より若干内より若しくはさらに内側の２種類の取付位置を選択できるものである。この場合に取付片部６５のネジ孔６５ａを垂直脚板部６１の両側から臨む箇所に設けたものとしておけば止めネジ３３ｂの螺合作業が容易である。なお、図示のように取付台６の水平上板部６４の中央を切り起こして取付面部６２を形成することにより製造が容易なものとなる。
【０００９】
このような電気電子機器用筐体のフレーム構造は、前フレーム１と後フレ−ム２の上下両側を連結している４本の奥行きフレーム３が、筐体の内側に向けた水平な幅広板部３１を連設したうえ該幅広板部３１を介して取付面３２を形成したものであるから、図１に示すように上下に対向する取付面３２、３２に機器取付用のマウントレールやマウントアングル等の補助縦フレ−ム５を上下端部をもって取り付ければ、該マウントレールやマウントアングル５は筐体の側面より内側に取り付けることができるものであり、実質８本の縦フレームを持つこととなり、特に補助縦フレーム５が筐体内側に入っているので非常に耐震性が優れている。加えて、マウントレールやマウントアングル５が奥行きフレーム３に直接取付けられているので、筐体の強度を向上させるものである。また、スペース金具等の取付部品を不要とするので部品点数が少なくてよいものである。この場合に取付面３２にネジ挿入孔３２ａを配設するとともに補助縦フレ−ム５にネジ孔５ａを設けておくことにより、ネジ５ｂにより取り付ける際に奥行きフレーム３の孔列はネジ挿入孔３２ａとして列全てにタップ加工を不要とすることができる。
【００１０】
また、内側が低く、外側が高い２つの取付面を設けているのでいずれに補助縦フレーム５を取り付ける場合でも筐体の内側からの作業が可能となり、また、取付台を用いることによって作業性が向上する。さらに、奥行きフレーム３にはケーブル等の入線孔４が水平な幅広板部３１をもって形成されているので、左右の奥行きフレーム３、３間に底板１１を取り付けてもケーブル等の入線が該入線孔４から行うことができるので底板１１上に機器を載置することが可能であり、大量のケ−ブルの入線が必要な場合のみ底板１１を取り外せばよい。なお、奥行きフレーム３を図示のように幅広板部３１の内側端に９０°折曲形成した内側短脚板部３１ａの先端に外向きの内側段板部３１ｂを９０°折曲して該内側段板部３１ｂの先端に鉛直な取付面３２を形成したものとすることにより、内側段板部３１ｂが底板１１の受段部となり底板７の取りつけ、取り外し作業を容易とすることができる。
【００１１】
【００１２】
【００１３】
【００１４】
【００１５】
【００１６】
【００１７】
【発明の効果】
以上に説明したように、本発明の電気電子機器用筐体のフレーム構造は、奥行きフレームの内側に取付面を形成したので、マウントレールやマウントアングルを筐体の内側に取付部材を介在させることなく取り付けできるもので部品点数が少なくできるものである。また、補助縦フレームを取り付けることにより実質８本の縦フレームを持つこととなり、特に補助縦フレームが筐体内側に入っているので非常に耐震性が優れている。
従って、従来の電気電子機器用筐体のフレーム構造の問題点を解決したものとして業界にもたらす益大なものである。
【図面の簡単な説明】
【図１】  本発明の実施の形態を示す斜視図である。
【図２】  本発明の実施の形態の要部を示す図であり、（Ａ）は側面図、（Ｂ）は斜視図である。
【図３】  本発明の実施の形態の要部を態様を異にして示す図であり、（Ａ）は側面図、（Ｂ）は斜視図である。
【図４】  本発明の実施の形態の要部を態様を異にして示す図であり、（Ａ）は側面図、（Ｂ）は斜視図である。
【図５】  従来例を示す斜視図である。
【符号の説明】
１  前フレーム
1a  横フレーム
２  後フレーム
2a  横フレーム
３  奥行きフレーム
31  幅広板部
32  取付面
４  ケーブル等の入線孔
５  補助縦フレーム
【図１】
0003678995.tif 000002
【図２】
0003678995.tif 000003
【図３】
0003678995.tif 000004
【図４】
0003678995.tif 000005
【図５】
0003678995.tif 000006